(57)【特許請求の範囲】
【請求項１】
被写体光束を受光して被写体輝度を測定する複数の測光系を備え、該各測光系は、
少なくとも一つの不感帯領域で分割された分割測光領域を備えた受光素子と、
対応する前記受光素子に被写体像を形成する測光光学系とを有し、
一つの受光素子の不感帯領域の形状と略同一または略相似形の分割測光領域を他の受光素子が有し、
前記測光光学系は、一つの受光素子の不感帯領域に形成された被写体像部分が他の受光素子の分割測光領域に形成されるように設定されていることを特徴とする測光装置。
【請求項２】
請求項１記載の測光装置において、前記各測光光学系は、被写体の像を対応する受光素子に形成する測光レンズを備え、少なくとも一つの測光レンズは、他の測光レンズとは倍率が異なる測光装置。
【請求項３】
請求項１または２記載の測光装置において、前記各受光素子は、同一の形状および大きさである測光装置。
【請求項４】
請求項２記載の測光装置において、前記各受光素子の分割測光領域および不感帯領域の形状は、他の受光素子の分割測光領域および不感帯領域の形状と同一である測光装置。
【請求項５】
請求項３または４記載の測光装置において、前記各測光系の測光光学系の倍率は、少なくとも一つの測光系の受光素子の不感帯領域に形成された被写体像部分のほぼ全てが、他の測光系の受光素子の分割測光領域に形成されるように設定されている測光装置。
【請求項６】
請求項１記載の測光装置において、前記各受光素子の分割測光領域は、他の受光素子の不感帯領域と同一または相似形である測光装置。
【請求項７】
被写体光束を受光して被写体輝度を測定する複数の測光系を備え、各測光系は、
少なくとも一つの不感帯領域で分割された複数の分割測光領域を備えた受光素子と、
対応する前記各受光素子の分割測光領域に、他とは異なる被写体像の部分を形成する被写体光束を受光させる測光光学系を有し、
前記各受光素子の前記分割測光領域および不感帯領域は、同一の形状および大きさであって、
前記各測光系の測光光学系の倍率は、少なくとも一つの測光系の受光素子の不感帯領域に形成された被写体像のほぼ全てが、他の測光系の受光素子の分割測光領域に形成されるように設定されていることを特徴とする測光装置。
【請求項８】
請求項７記載の測光装置において、前記測光系は一対からなり、前記一方の受光素子の不感帯領域の形状は、他方の受光素子の分割測光領域の形状と同一または相似形である測光装置。
【請求項９】
請求項８記載の測光装置において、前記一方の測光光学系の倍率は、他方の測光光学系の倍率よりも小さい測光装置。
【請求項１０】
被写体光束を受光して被写体輝度を測定する複数の測光系を備え、各測光系は、
被写体像を形成する被写体光束を受光する受光素子と、
前記受光素子に被写体像を形成する測光光学系とを有し、
各測光光学系は、同一被写体の異なる部分の被写体像を対応する受光素子に形成するように倍率が設定されていることを特徴とする測光装置。
【請求項１１】
請求項１０記載の測光装置において、前記各受光素子は、前記被写体像の異なる領域を測光する、少なくとも一つの不感帯領域で分割された分割測光領域を有し、前記各測光光学系は、一つの受光素子の不感帯領域に形成された被写体像の大部分を他の受光素子の分割測光領域に形成するように、異なる倍率の測光レンズを備えた測光装置。
【請求項１２】
請求項１０または１１記載の測光装置において、前記測光系は一対からなり、前記一つの受光素子の不感帯領域と略同一または略相似形の分割測光領域を他の受光素子が有する測光装置。
【請求項１３】
被写体光束を受光して被写体輝度を測定する一対の測光系を備え、各測光系は、
不感帯領域で分割された複数の分割測光領域を有し、一方の測光系の分割測光領域に形成される被写体像が他方の測光系の分割測光領域とは異なる部分を受光する受光素子を備え、
前記一方の受光素子の不感帯領域の形状と略同一または略相似形の分割測光領域を他方の受光素子が有することを特徴とする測光装置。
【発明の詳細な説明】
【０００１】
【発明の技術分野】
本発明は、分割測光センサを備えた測光装置に関する。
【０００２】
【従来技術およびその問題点】
カメラの測光装置は、測光センサの受光面を被写体像の予定焦点面上またはその前後近傍に配置し、受光面に被写体像を形成させて、その被写体像の明るさを測定している。そして、受光面を複数の領域に分割して、各分割測光領域に入射した被写体像の明るさを測定する分割測光センサを備えた測光装置を備えたカメラが知られている。
【０００３】
分割測光センサは、受光面が所望の分割測光領域に応じて分割され、クロストークの防止のため、あるいは配線の都合により、分割測光領域が不感帯領域によって分離されている。図６に、分割測光センサの一例を示した。この分割測光センサ７１は、６分割されたセンサ領域７３Ａ〜７３Ｆを備えていて、これらのセンサ領域７３Ａ〜７３Ｆの間が、不感帯領域７５で分離されている。
【０００４】
したがって、この不感帯領域７５上に形成された被写体像の輝度は測定することができなかった。そのため、これらの不感帯領域７５に明るい被写体が入っていても、その明るい被写体は測定されず、全体として暗い被写体として測光されてしまうことがある。
【０００５】
一方、この不感帯領域７５の幅を狭くするとクロストークが増えてしまうので、分割測光精度が低下してしまう。つまり、分割測光センサ７１を小型化すればするほど、また分割測光領域の数を増やせば増やすほど不感帯領域７５によって測光精度が悪くなるという問題があった。
【０００６】
【発明の目的】
本発明は、マルチ測光、分割測光が可能な測光装置において、測光不能領域を可及的に小さく、あるいは少なくできる測光装置を提供することを目的とする。
【０００７】
【発明の概要】
この目的を達成する本発明は、被写体光束を受光して被写体輝度を測定する複数の測光系を備え、該各測光系は、少なくとも一つの不感帯領域で分割された分割測光領域を備えた受光素子と、対応する前記受光素子に被写体像を形成する測光光学系とを有し、一つの受光素子の不感帯領域の形状と略同一または略相似形の分割測光領域を他の受光素子が備え、前記測光光学系は、一つの受光素子の不感帯領域に形成された被写体像部分が他の受光素子の分割測光領域に形成されるように設定されていること、に特徴を有する。
【０００８】
請求項７記載の本発明は、被写体光束を受光して被写体輝度を測定する複数の測光系を備え、各測光系は、少なくとも一つの不感帯領域で分割された複数の分割測光領域を備えた受光素子と、対応する前記各受光素子の分割測光領域に、他とは異なる被写体像の部分を形成する被写体光束を受光させる測光光学系を有し、前記各受光素子の前記分割測光領域および不感帯領域は、同一の形状および大きさであって、前記各測光系の測光光学系の倍率は、少なくとも一つの測光系の受光素子の不感帯領域に形成された被写体像のほぼ全てが、他の測光系の受光素子の分割測光領域に形成されるように設定されていること、に特徴を有する。
【０００９】
【発明の実施の形態】
以下図面に基づいて本発明を説明する。図示した本発明の実施の形態は、一対の分割測光センサ１１、２１を備え、これらの分割測光センサ１１、２１は、異なる倍率で被写体像を形成する結像レンズを備えたことに特徴を有する。
【００１０】
図１は、本発明を適用した一眼レフカメラの測光装置周辺の構成を示す分解斜視図である。図示しない撮影レンズから入射した被写体光束は、メインミラー３１で反射し、フィルム面と等価位置に配置されたフォーカシングスクリーン３３、そしてコンデンサレンズ３５を透過して、倒立像を正立像にするプリズム３７に入射する。プリズム３７内で反射され、プリズム３７から射出した被写体光束は、大部分がファインダールーペ（アイピース）３９を透過して、撮影者の眼に入る。
【００１１】
ファインダールーペ３９の両側には、一対の測光系を構成する第１、第２の分割測光センサ１１、２１が配置されている。各分割測光センサ１１、２１は、プリズム３７から射出した被写体光束を各分割測光センサ１１、２１の受光部上に導き、結像させる測光光学系１３、２３として、プリズム３７側から順に、第１測光レンズ１５、２５、測光光路をカメラの上方に向けて９０゜偏向するミラー（不図示）および、結像レンズとしての第２測光レンズ１７、２７を備えている。
【００１２】
各分割測光センサ１１、２１は、図２に示すように、同一の分割測光領域を備えた同一の分割測光センサ１１、２１で形成されていることに特徴を有する。各分割測光センサ１１、２１の受光面には、６分割された測光（センサ）領域が形成されていて、これらの測光領域の間が、不感帯領域で分離されている。より具体的には、第１の分割測光センサ１１は、中央測光領域１３Ａと、中央測光領域１３Ａを挟んで左右に位置する一対の左右測光領域１３Ｂ、１３Ｃおよび上下に位置する上下測光領域１３Ｄ、１３Ｅと、これらの領域を囲む周辺測光領域１３Ｆと、これらの測光領域１３Ａ〜１３Ｆを分離する不感帯領域１４とによって構成されている。第２の分割測光センサ２１も第１の分割測光センサ１１と同一の構造であって、分割測光領域１３Ａ〜１３Ｆおよび不感帯領域１４と同一形状の分割測光領域２３Ａ〜２３Ｆおよび不感帯領域２５を備えている。
【００１３】
図２には、このカメラの撮影画面（全被写体領域）４１と、分割測光センサ１１、２１の受光部上に形成される被写体領域である測光領域４３Ｎ、４３Ｗとの関係を示している。この図から明らかなように、第１の分割測光センサ１１には、撮影画面４１内の比較的狭い測光領域４３Ｎ内の被写体像が形成され、第２の分割測光センサ２１には、測光領域４３Ｎよりも広い測光領域４３Ｗ内の被写体像が形成される。広い測光領域４３Ｗは、狭い測光領域４３Ｎよりも縮小されて第２の分割測光センサ２１上に投影されている。つまり、第１の分割測光センサ１１には高倍率の被写体像が形成され、第２の分割測光センサ２１には低倍率の被写体像が形成される。したがって、測光光学系１３の倍率は、測光光学系２３の倍率よりも高く、あるいは測光光学系１３の焦点距離の方が測光光学系２３の焦点距離よりも長く設定されている。
【００１４】
ここで、分割測光センサ１１、２１に形成された被写体像の内、分割測光領域１３Ａ〜１３Ｆ、２３Ａ〜２３Ｆ上に形成された部分の明るさは測光できるが、不感帯領域１４、２４上に形成された部分の明るさは測光できない。そこで本発明の実施の形態は、広、狭の測光領域４３Ｗ、４３Ｎ内の被写体像について、測光不能の被写体像領域（部分）を可及的に少なくできることに特徴を有する。
【００１５】
図３は、測光領域４３Ｎ、４３Ｗと、分割測光センサ１１、２１の分割測光領域１３Ａ〜１３Ｆ、２３Ａ〜２３Ｆとの関係を示す図であって、分割測光センサ１１、２１に形成された被写体像を撮影画面４１上の比率に合わせて倍率変更して示してある。この図から分かるように、第２の分割測光センサ２１で測光できない不感帯領域２４の大部分は、第１の分割測光センサ１１の分割測光領域１３Ａ〜１３Ｆでカバーされ、第１の分割測光センサ１１で測光できない不感帯領域１４の大部分は、第２の分割測光センサ２１の分割測光領域２３Ａ〜２３Ｆでカバーされている。したがって、この実施の形態において測光できない不感帯領域は、ハッチングを施した領域だけである。
【００１６】
以上の通り、本実施の形態によれば、一対の分割測光センサ１１、２１に結像させる被写体像の像倍率を異ならせたので、一対の分割測光センサ１１、２１の各分割測光領域１３Ａ〜１３Ｆ、２３Ａ〜２３Ｆの測光値を利用することで、不感帯領域が少なくなり、きめ細かい、精度の高い測光が可能になる。しかも、分割測光センサ１１、２１は同一構造なので、部品点数が減少し、構造、組立が簡単になる。
【００１７】
以上の実施の形態は、分割測光領域の形状および配置に重点をおいたが、図４および図５には、不感帯領域をより少なくすることに重点をおいた一対の分割測光センサの実施例を示してある。
【００１８】
図４の（Ａ）に示した分割測光センサ６０は２分割測光センサであって、中央の分割測光領域６１Ａと、その周辺を囲む周辺分割測光領域６３Ａとを備えていて、これらの測光領域６１Ａ、６３Ａが、不感帯領域６２Ａによって分離されている。ここで、周辺の測光領域６３Ａは、不感帯領域６２Ａと相似形に形成されている。
【００１９】
この分割測光センサ６０を、図１〜図３に示した一対の分割測光センサ１１、２１と置き換えて、測光可能な領域と測光できない不感部分との関係を図４（Ａ）、（Ｂ）に示した。第２分割測光センサ２１に相当する分割測光センサ６０を図４（Ａ）とすると、第１分割測光センサ１１に相当する分割測光センサ６０の測光領域および不感部分は図４（Ｂ）に示したようになる。この図から明らかなように、高倍率側の測光領域６３Ｂは、低倍率側の不感帯領域６２Ａとほぼ一致する。つまり、測光レンズの倍率を適当に設定することで、低倍率側の不感帯領域６２Ａに形成される被写体像領域と、高倍率側の測光領域６３Ｂとに形成される被写体像領域とを一致させることが可能になり、測光不能領域がない分割測光が可能になる。
【００２０】
図５に示した分割測センサ７０は３分割測光センサであって、中央の分割測光領域７１Ａと、その周辺を囲む中間測光領域７３Ａと、その周辺を囲む側周辺測光領域７５Ａを備えていて、これらの測光領域７１Ａ、７３Ａが、不感帯領域７２Ａによって分離され、測光領域７３Ａ、７５Ａが不感帯領域７４Ａによって分離されている。ここで、周辺測光領域７５Ａと不感帯領域７４Ａ、中間測光領域７３Ａと不感帯領域７２Ａとが同一比率の相似形に形成されている。
【００２１】
この分割測光センサ７０を、図１〜図３に示した一対の分割測光センサ１１、２１と置き換えて、測光可能な領域（分割測光領域）および測光できない不感部分（不感帯領域）との関係を、撮影画面に対応させて図５（Ａ）、（Ｂ）に示した。分割測光センサ２１に相当する低倍率側の分割測光センサ７０を図５（Ａ）とすると、分割測光センサ１１に相当する分割測光センサ７０の高倍率側の測光領域７１Ｂ、７３Ｂ、７５Ｂおよび不感帯領域７２Ｂ、７４Ｂは、図５（Ｂ）に示したようになる。この図から明らかなように、高倍率側の測光領域７５Ｂ、７３Ｂは、低倍率側の不感帯領域７４Ａ、７２Ａとほぼ一致する。つまり、測光光学系１３、２３の倍率を適当に設定することで、低倍率側の不感帯領域７４Ａ、７２Ａに形成される被写体像領域と、高倍率側の測光領域７５Ｂ、７３Ｂに形成される被写体像領域とを一致させることが可能になり、測光不能領域がない測光が可能になる。
【００２２】
以上の通り図４および図５に示した分割測光センサ６０、７０によれば、一方の不感帯領域に入射する被写体像が、他方の測光領域に入射する被写体像と一致するので、分割測光センサ６０、７０の受光部全領域に入射する被写体光束をもれなく使用して測光することができる。
【００２３】
以上の図４および図５に示した実施例の形態では、一対の分割測光センサに同じものを使用し、測光レンズの倍率（焦点距離）を異ならせることによって不感帯領域を無くしたが、分割測光センサの大きさそのものを、図４、５の（Ａ）、（Ｂ）に示したように異ならせて不感帯領域を無くすこともできる。
【００２４】
以上の本発明の実施の形態では、分割測光センサを２個使用したが、本発明は、３個以上使用することもできる。測光光学系の構成も図示実施例に限定されず、分割測光センサの分割測光領域の分割数、配置、形状も、図示実施例に限定されないことはいうまでもない。
【００２５】
【発明の効果】
以上の説明から明らかな通り本発明は、本発明は、不感帯領域で分離された分割測光領域を有する受光部を備えた一つの受光素子の不感帯領域に形成された被写体像領域は、他の分割測光センサの分割測光領域に形成されるので、一つの受光素子に形成された被写体像のほぼ全ての領域の測光が可能になり、抜けのないきめ細かい測光が可能になった。
また本発明は、少なくとも一つの不感帯領域で分割された複数の分割測光領域を備えた受光素子と、前記各分割測光領域に被写体像の異なる部分を形成する被写体光束を受光させる測光光学系を複数備え、前記各測光系の測光光学系の倍率は、少なくとも一つ測光系の受光素子の不感帯領域に形成された被写体像のほぼ全てが、他の測光系の受光素子の分割測光領域に形成されるように設定されているので、一つの受光素子に形成される測被写体像領域の全ての部分について分割測光が可能になった。
【図面の簡単な説明】
【図１】本発明の測光装置を一眼レフカメラに適用した実施の形態の分解斜視図である。
【図２】同測光装置の一対の分割測光センサによる測光領域と撮影画面との関係を説明する図である。
【図３】同測光装置の一対の分割測光センサの測光領域および不感帯領域と被写体像領域とを、被写体像を等倍率にして重ねて示した図である。
【図４】本発明の別の実施の形態の測光領域および不感帯領域部分を示す図である。
【図５】本発明のさらに別の実施例の形態の測光領域および不感帯領域部分を示す図である。
【図６】分割測光センサの分割測光領域と不感帯領域との関係を説明する図である。
【符号の説明】
１１  ２１  分割測光センサ
１３  ２３  測光光学系
１３Ａ  ２３Ａ  中央測光領域
１３Ｂ  １３Ｃ  ２３Ｂ  ２３Ｃ  左右測光領域
１３Ｄ  １３Ｅ  ２３Ｄ  ２３Ｅ  上下測光領域
１３Ｆ  ２３Ｆ  周辺測光領域
１４ ２４ 不感帯領域
３１  メインミラー
３３  フォーカシングスクリーン
３５  コンデンサレンズ
３７  プリズム
３９  ファインダールーペ
４１  撮影画面
４３Ｎ  狭測光領域
４３Ｗ  広測光領域以上
【図１】
0003586365.tif 000002
【図２】
0003586365.tif 000003
【図３】
0003586365.tif 000004
【図４】
0003586365.tif 000005
【図５】
0003586365.tif 000006
【図６】
0003586365.tif 000007